(57)【要約】【課題】マニュアルフォーカスを行う際の操作性が良好であり、マニュアルフォーカスによるピント合わせを容易に行うことができる撮像装置を提供すること。【解決手段】ライブビュー表示において被写体像を拡大表示させる際の拡大率を決定し、且つ上記ライブビュー表示における各フレーム毎に、当該フレームにおける所定の部分の合焦度合いを示す合焦評価値を算出するボディ制御用マイクロコンピュータ２０１を具備し、上記ボディ制御用マイクロコンピュータ２０１は、上記合焦評価値に基づいて、上記拡大率を決定することを特徴とする撮像装置。【選択図】      図１
2008079124.tif 000002
【特許請求の範囲】
【請求項１】
被写体を撮像する撮像装置であって、
上記被写体からの光束を結像させる為の撮影光学系と、
所定の周期で上記被写体の撮影を行って動画像を取得する撮影手段と、
上記撮影手段が取得した動画像をライブ映像として表示する表示手段と、
撮影者による操作に応じて、上記撮影光学系の焦点位置を変化させる焦点位置調整手段と、
上記表示手段によって表示されるライブ映像における上記被写体の大きさを決定する表示制御手段と、
上記ライブビュー表示における各フレーム毎に、当該フレームにおける所定の部分の合焦度合いを示す合焦評価値を算出する合焦評価値算出手段と、
を具備し、
上記表示制御手段は、上記合焦評価値に基づいて、上記ライブ映像における上記被写体の大きさを決定することを特徴とする撮像装置。
【請求項２】
上記表示手段が表示する上記ライブ映像における表示画面の一部分を、第１の領域として指定する領域指定手段を更に具備し、
上記合焦評価値算出手段は、上記ライブ映像における各フレーム毎に、上記領域指定手段によって上記第１の領域として指定された領域について上記合焦評価値を算出することを特徴とする請求項１に記載の撮像装置。
【請求項３】
上記表示制御手段は、上記合焦評価値と上記ライブ映像における上記被写体の大きさとの関係を示す拡大率決定情報を複数有し、上記合焦評価値に基づいて何れか一つの上記拡大率決定情報を選択且つ参照して、上記ライブ映像における上記被写体の大きさを決定することを特徴とする請求項２に記載の撮像装置。
【請求項４】
上記撮影光学系の焦点位置の変化に応じて上記合焦評価値がピーク値を経たことを検出する為のピーク検出手段を更に具備し、
上記表示制御手段は、上記合焦評価値と上記ライブ映像における上記被写体の大きさとの関係を示す拡大率決定情報を複数有し、上記ピーク検出手段によって上記合焦評価値がピーク値を経たことが検出された時点を境に、その前後で異なる上記拡大率決定情報を選択且つ参照して、上記ライブ映像における上記被写体の大きさを決定することを特徴とする請求項２に記載の撮像装置。
【請求項５】
上記表示制御手段は、上記ライブ映像における上記被写体の大きさを決定すると共に、上記合焦評価値を図形で表現する際の該図形の形状及び表示形態を決定し、
上記表示手段は、上記ライブ映像を表示すると共に、上記表示制御手段によって決定された上記図形の形状及び表示形態で上記合焦評価値を表示することを特徴とする請求項１に記載の撮像装置。
【請求項６】
上記合焦評価値がピーク値を経たことを検出する為のピーク検出手段を更に具備し、
上記表示制御手段は、上記ピーク検出手段によって上記合焦評価値がピーク値を経たことが検出された場合には、上記表示手段が表示する上記ライブ映像の表示形態を、上記検出の前における表示形態とは異なる表示形態に切り替えることを特徴とする請求項１に記載の撮像装置。
【請求項７】
上記ライブ映像の表示形態の切り替えとは、上記表示手段が表示する上記ライブ映像における表示画面の少なくとも一部分の表示色を切り替えることであることを特徴とする請求項６に記載の撮像装置。
【発明の詳細な説明】
【技術分野】
【０００１】
本発明は、撮像装置に関し、特にマニュアルフォーカス時には画像を拡大して表示する機能を有する撮像装置に関する。
【背景技術】
【０００２】
従来より、被写体のライブ映像を表示する所謂ライブビュー表示や撮影によって取得した画像を、例えば液晶表示装置（Ｌｉｑｕｉｄ  Ｃｒｙｓｔａｌ  Ｄｉｓｐｌａｙ）等の表示部に表示することが可能なカメラが知られている。このようなカメラであって、マニュアルフォーカス（以降、ＭＦと称する）時のピント合わせを容易にする技術として、例えば以下のような技術が知られている。
【０００３】
まず、特許文献１には、ＭＦ時に、オートフォーカス（以降、ＡＦと称する）時に比べて所定の倍率で拡大された被写体のライブビュー表示を、表示部に表示する撮像装置が開示されている。
【０００４】
また、特許文献２には、ＭＦ時のライブビュー表示中において、当該撮影画面内で最も合焦している領域が、表示部に拡大表示される撮像装置が開示されている。
【特許文献１】特開平１１−３４１３３１号公報
【特許文献２】特開２００４−２４２００９号公報
【発明の開示】
【発明が解決しようとする課題】
【０００５】
しかしながら、上記特許文献１及び上記特許文献２に開示された撮像装置では、例えば被写体に対してピントが大きくずれている大ぼけの状態であっても、ＭＦ時であれば拡大された被写体のライブビュー表示が表示部に表示される。このような場合、ユーザーは、上記被写体の判別をすることが困難となり、かえって使い勝手の悪い撮像装置となる。
【０００６】
さらに、拡大倍率が大き過ぎたり、小さ過ぎたりする場合にも、上記ライブビュー表示は、上記被写体にしっかり合焦しているのか否かを判別しにくい表示となり得る。
【０００７】
本発明は、上記の事情に鑑みてなされたものであり、マニュアルフォーカスを行う際の操作性が良好であり、マニュアルフォーカスによるピント合わせを容易に行うことができる撮像装置を提供することを目的とする。
【課題を解決するための手段】
【０００８】
上記目的を達成するために、本発明の第１の態様による撮像装置は、被写体を撮像する撮像装置であって、上記被写体からの光束を結像させる為の撮影光学系と、所定の周期で上記被写体の撮影を行って動画像を取得する撮影手段と、上記撮影手段が取得した動画像をライブ映像として表示する表示手段と、撮影者による操作に応じて、上記撮影光学系の焦点位置を変化させる焦点位置調整手段と、上記表示手段によって表示されるライブ映像における上記被写体の大きさを決定する表示制御手段と、上記ライブビュー表示における各フレーム毎に、当該フレームにおける所定の部分の合焦度合いを示す合焦評価値を算出する合焦評価値算出手段と、を具備し、上記表示制御手段は、上記合焦評価値に基づいて、上記ライブ映像における上記被写体の大きさを決定することを特徴とする。
【発明の効果】
【０００９】
本発明によれば、マニュアルフォーカスを行う際の操作性が良好であり、マニュアルフォーカスによるピント合わせを容易に行うことができる撮像装置を提供することができる。
【発明を実施するための最良の形態】
【００１０】
以下、図面を参照して、本発明の実施形態に係る撮像装置を説明する。
【００１１】
［第１実施形態］
図１は、本実施形態に係る合焦状態表示装置を搭載されたカメラの構成を詳細に示したブロック図である。以下、同図を参照して、通常のカメラで行われるＡＦを例に、当該カメラの構成部材を詳細に説明する。
【００１２】
まず、図１に示すように、本実施形態に係る合焦状態表示装置を搭載されたカメラは、レンズ鏡筒１００とカメラ本体２００とから構成されている。
【００１３】
ここで、上記レンズ鏡筒１００の各部の制御はレンズ制御用マイクロコンピュータ（以下、Ｌｕｃｏｍと称する）１０１によって行われる。一方、上記カメラ本体２００の各部の制御はＢｕｃｏｍ２０１によって行われる。ここで、上記カメラ本体２００にレンズ鏡筒１００が装着された際には、通信コネクタ１０１ａを介してＬｕｃｏｍ１０１とＢｕｃｏｍ２０１とが通信可能に接続される。この場合、カメラシステムとして、Ｌｕｃｏｍ１０１がＢｕｃｏｍ２０１に従属するようにして稼動するようになっている。
【００１４】
上記レンズ鏡筒１００の内部には、撮影光学系１０２が配設されている。ここで、図１においては、該撮影光学系１０２を構成する複数の光学レンズ（撮影レンズ）を１つの光学レンズで代表して図示している。この撮影光学系１０２は、レンズ駆動機構１０３内に存在する図示しないＤＣモータにより、その光軸方向に移動される。
【００１５】
また、上記撮影光学系１０２の後方には絞り１０４が設けられている。この絞り１０４は、絞り駆動機構１０５内に存在する図示しないステッピングモータによって開閉駆動される。上記絞り１０４の開閉が制御されることによって、上記撮影光学系１０２を介してカメラ本体２００に入射する被写体からの光束の光量が制御される。
【００１６】
ここで、上記レンズ駆動機構１０３内のＤＣモータの制御及び上記絞り駆動機構１０５内のステッピングモータの制御は、Ｂｕｃｏｍ２０１の指令を受けたＬｕｃｏｍ１０１によって行われる。また、上記レンズ鏡筒１００の外周に設けられた回転可能な部材であるピントリング１０６がユーザーにより回転させられると、該回転に同期して上記レンズ駆動機構１０３により上記撮影光学系１０２が駆動される。すなわち、上記ピントリング１０６は、ユーザーによるマニュアルフォーカスの為の部材である。
【００１７】
また、カメラ本体２００の内部には、メインミラー２０２ａ、ペンタプリズム２０２ｃ、接眼レンズ２０２ｄから構成されるファインダー装置が設けられている。カメラが通常状態にある場合には、上記撮影光学系１０２を介して入射した被写体からの光束の一部がメインミラー２０２ａで反射される。これによって、ペンタプリズム２０２ｃ、及び接眼レンズ２０２ｄを介して観察用の像が形成される。
【００１８】
ここで、上記ペンタプリズム２０２ｃの近傍には測光回路２０４が設けられており、ペンタプリズム２０２ｃを通過した光束の一部が、上記測光回路２０４内の図示しないホトセンサに入射するようになっている。上記測光回路２０４では、ホトセンサで検出された光束の光量に基づき周知の測光処理が行われる。そして、上記測光回路２０４で処理された結果は、Ｂｕｃｏｍ２０１に送信される。
【００１９】
Ｂｕｃｏｍ２０１では、上記測光回路２０４から入力された結果に基づいて撮影時の露光量が演算される。この結果は、Ｂｕｃｏｍ２０１からＬｕｃｏｍ１０１に送信される。Ｌｕｃｏｍ１０１では、Ｂｕｃｏｍ２０１から通知された露光量に基づいて上記絞り１０４の駆動制御が行われる。
【００２０】
なお、上記メインミラー２０２ａを透過して上記サブミラー２０３で反射された光束は、自動焦点調節処理（ＡＦ処理）を行うためのＡＦセンサユニット２０５に導かれる。該ＡＦセンサユニット２０５の内部には、エリアセンサ（不図示）が設けられており、このエリアセンサに入射した光束は、電気信号に変換される。
【００２１】
このエリアセンサからの出力は、ＡＦセンサ駆動回路２０６を介してＢｕｃｏｍ２０１へ送信される。そして、Ｂｕｃｏｍ２０１において測距処理が行われ、焦点調節に必要な撮影光学系１０２の焦点状態（デフォーカス量）が演算される。そしてこの演算結果は、Ｂｕｃｏｍ２０１からＬｕｃｏｍ１０１に送信される。Ｌｕｃｏｍ１０１では、Ｂｕｃｏｍ２０１から通知された移動量に基づいて撮影光学系１０２の駆動制御が行われる。
【００２２】
ところで、当該カメラが撮影動作状態にあるときには、上記メインミラー２０２ａが、撮影光学系１０２の光軸から退避する所定のアップ位置に移動される。このようなメインミラー２０２ａの駆動は、ミラー駆動機構２０７によって行われる。また、ミラー駆動機構２０７の制御は、Ｂｕｃｏｍ２０１によって行われる。ここで、メインミラー２０２ａがアップ位置に移動された場合には、それに伴ってサブミラー２０３が折り畳まれるようになっている。
【００２３】
このように上記メインミラー２０２ａがアップ位置に移動されることによって、上記撮影光学系１０２を透過した被写体からの光束は、シャッター部２０８の方向に入射する。上記シャッター部２０８を通過した光束は、その後上記シャッター部２０８の後方に配置された撮像素子２１２に入射する。なお、上記シャッター部２０８は先幕と後幕とから構成されるフォーカルプレーン式のシャッターである。ここで、上記先幕及び後幕を駆動するためのばね力は、シャッターチャージ機構２０９によってチャージされる。また、上記先幕及び後幕の駆動は、シャッター制御回路２１０によって行われる。なお、上記シャッターチャージ機構２０９及び上記シャッター制御回路２１０は、Ｂｕｃｏｍ２０１によって制御される。
【００２４】
そして、上記撮像素子２１２で結像した被写体像の光束は、電気信号（映像信号）に変換される。そして、該電気信号は、所定タイミング毎に撮像インターフェイス回路２１７を介して読み出されてデジタル化される。そして、該撮像インターフェイス回路２１７でデジタル化されて得られた画像データは、画像処理コントローラ２１８を介してＳＤＲＡＭなどで構成されたバッファメモリ２１９に格納される。ここで、該バッファメモリ２１９は、画像データなどのデータの一時保管用メモリであり、画像データに各種処理が施される際のワークエリアなどに利用される。
【００２５】
その後、撮像インターフェイス回路２１７を介して読み出されバッファメモリ２１９に格納された上記画像データが、画像処理コントローラ２１８によって読み出される。該画像処理コントローラ２１８によって読み出された画像データは、ホワイトバランス補正や、階調補正、色補正などの周知の画像処理が施された後、上記バッファメモリ２１９に格納される。そして、画像記録時には、上記画像処理コントローラ２１８によって処理された画像データが、ＪＰＥＧ方式などの周知の圧縮方式によって圧縮される。このＪＰＥＧ圧縮によって得られたＪＰＥＧデータは、上記バッファメモリ２１９に格納された後、所定のヘッダ情報が付加されたＪＰＥＧファイルとしてＦｌａｓｈＲｏｍ２２０や記録メディア２２１に記録される。
【００２６】
ここで、上記ＦｌａｓｈＲｏｍ２２０はカメラに内蔵のメモリを想定しており、上記記録メディア２２１はカメラの外部に装着され得るものを想定している。また、上記記録メディア２２１としては、例えばカメラに着脱自在に構成されたメモリカードやハードディスクドライブなどが用いられる。
【００２７】
また、上記ＦｌａｓｈＲｏｍ２２０や上記記録メディア２２１に記録されたＪＰＥＧファイルから画像を再生する際には、上記ＦｌａｓｈＲｏｍ２２０や上記記録メディア２２１に記録されたＪＰＥＧデータが、上記画像処理コントローラ２１８によって読み出されて伸長される。その後、この伸長データがビデオ信号に変換された後、表示用の所定のサイズにリサイズされ、上記液晶モニタ２２２に出力表示される。
【００２８】
また、Ｂｕｃｏｍ２０１には、カメラ制御に必要な所定の制御パラメータを記憶する不揮発性メモリ２２３がアクセス可能に接続されている。この不揮発性メモリ２２３は、例えば書き換え可能なＥＥＰＲＯＭで構成されている。さらに、Ｂｕｃｏｍ２０１には、電源回路２２４を介して電源としての電池２２５が接続されている。該電池２２５の電圧は、上記電源回路２２４により、当該カメラシステムの各部が必要とする電圧に変換され、当該カメラシステムの各部に供給される。
【００２９】
そして、Ｂｕｃｏｍ２０１には、当該カメラの動作状態を表示出力によってユーザーに告知するための動作表示用ＬＣＤ２２６と、当該カメラの各種操作部材の操作状態を検出するためのカメラ操作ＳＷ（カメラ操作スイッチ）２２７とが接続されている。
【００３０】
ところで、当該カメラにおいて電子ビューファインダー（ＥＶＦ）表示が行われる場合には、上記撮像インターフェイス回路２１７を介して読み出され、上記バッファメモリ２１９に格納された画像データが、上記画像処理コントローラ２１８によって読み出される。該画像処理コントローラ２１８によって読み出された画像データは、ＥＶＦ表示用のホワイトバランス補正などの画像処理が施された後、上記バッファメモリ２１９に上記読み出した画像データとは別に格納される。その後、上記バッファメモリ２１９に格納された画像データは、フレーム単位で画像処理コントローラ２１８によって読み出されてビデオ信号に変換される。このビデオ信号は、表示用の所定のサイズにリサイズされた後、表示手段としての液晶モニタ２２２に出力表示される。ユーザーは、この液晶モニタ２２２に表示される画像により、撮影画像を確認することができる。
【００３１】
上述のようなＥＶＦ表示の動作制御を行えば、一般にライブビュー表示と称される表示を行うことができる。なお、ライブビュー表示を行うには、通常以下のような動作制御を行う。すなわち、まず上記メインミラー２０２ａをアップ位置まで移動し、シャッター部２０８を開口する。これにより上記撮影光束は、直接に上記撮像素子２１２に入射する。その後、所定のフレームレート（１秒間の撮影画像数）での撮影で撮像素子２１２が撮像して取得した画像データを、上記画像処理コントローラ２１８によって読み出し上記液晶モニタ２２２に表示する。ユーザーは、この液晶モニタ２２２におけるライブビュー表示を観察することで、接眼レンズを覗かなくても被写体像を観察できる。
【００３２】
以下、本実施形態に係る合焦状態表示装置を搭載したカメラの背面図を示す図２を参照して、当該カメラにおけるユーザーが用いる各種操作部材について説明する。
【００３３】
同図に示すように当該カメラ１の背面には、メインダイヤル３１６と、ＡＦフレームボタン３１７と、ＡＥロックボタン３１８と、再生モードボタン３１９と、消去ボタン３２０と、プロテクトボタン３２１と、情報表示ボタン３２２と、メニューボタン３２３と、十字ボタン３２４と、ＯＫボタン３２５と、ライブボタン３２６とが設けられている。そして、当該カメラ１の上面にはモードダイヤル３０３が設けられている。以下、それぞれの部材について順次説明していく。
【００３４】
まず、上記メインダイヤル３１６は、回転操作されることにより、現在ユーザーによって押されている操作部材に係る機能の設定変更を行う為の部材である。
【００３５】
上記モードダイヤル３０３は、各種撮影モードを設定する為の部材である。ここで該各種撮影モードの一例としてシーンモード（ＳＣＮ）を挙げて、上記モードダイヤル３０３を説明する。すなわち、上記モードダイヤル３０３がＳＣＮに設定されている状態で、上記メインダイヤル３１６がユーザーにより回転操作されることで、液晶モニタ２２２には所望のシーンに応じた撮影条件の設定に関するメニュー画面が表示される。ここで、上記所望のシーンとしては、例えばポートレート、スポーツ、記念撮影、風景、夜景のシーン等がある。そして、これらのうちユーザーにより選択されたシーンに応じて、露光、フラッシュ発光、測光モード、ＡＦ方式、連写間隔等の撮影時における各種撮影条件が設定される。
【００３６】
上記ＡＦフレームボタン３１７は、撮影時のＡＦ方式を選択するためのボタンである。このＡＦフレームボタン３１７が押されている状態で、上記メインダイヤル３１６のダイヤル操作がなされることにより、ＡＦ方式が、例えばマルチＡＦ又はスポットＡＦに変更される。
【００３７】
なお、上記マルチＡＦでは、画面内の複数測距点の焦点状態が検出される。一方、スポットＡＦでは、画面内の一点（複数候補の中から選択できる）の焦点状態が検出される。
【００３８】
上記ＡＥロックボタン３１８は、露光条件を固定するためのボタンである。このＡＥロックボタン３１８が押されている間は、そのとき演算されている露光量が固定される。
【００３９】
上記再生モードボタン３１９は、カメラ１の動作モードを、上記ＦｌａｓｈＲｏｍ２２０や上記記録メディア２２１に記録されたＪＰＥＧファイルから画像を上記液晶モニタ２２２に再生表示できる再生モードに切り替えるためのボタンである。
【００４０】
上記消去ボタン３２０は、再生モード中において画像データ（ＪＰＥＧファイル）を上記ＦｌａｓｈＲｏｍ２２０や上記記録メディア２２１から消去するためのボタンである。
【００４１】
上記プロテクトボタン３２１は、再生モード中において、誤って画像データが消去されないように、画像データにプロテクトをかけるためのボタンである。
【００４２】
上記情報表示ボタン３２２は、画像データの付加情報（例えば、Ｅｘｉｆ情報）に基づく画像情報を上記液晶モニタ２２２に表示させるためのボタンである。
【００４３】
上記メニューボタン３２３は、上記液晶モニタ２２２にメニュー画面を表示させるためのボタンである。このメニュー画面は、複数の階層構造からなるメニュー項目によって構成されている。ユーザーは、所望のメニュー項目を上記十字ボタン３２４で選択することができ、ＯＫボタン３２５で選択した項目を決定することができる。ここで、メニュー項目としては、例えば上記ＦｌａｓｈＲｏｍ２２０や上記記録メディア２２１のセットアップ、画像データの画質、画像処理、シーンモードなどの設定を行うことができる撮影メニュー、画像再生時の再生条件及び画像プリント時の設定などを行うことができる再生メニュー、撮影者の好みに応じた種々の細かい設定を行うことができるカスタムメニュー、及び警告音の種類などのカメラの動作状態を設定するセットアップメニュー等がある。
【００４４】
上記ライブボタン３２６は、上述したライブビュー表示を行うモードを選択する為のボタンである。以降、ライブビュー表示を行うモードを、ライブビューモードと称する。上記ライブボタン３２６がユーザーにより押されると、上記液晶モニタ２２２におけるライブビュー表示が開始される（上記ライブビューモードに入る）。その後、再度上記ライブボタン３２６が押されると、ライブビューモードから抜け出る。なお、上記ライブビューモード中においては、上記メインミラー２０２ａが上記のアップ位置にある為、上記ＡＦセンサユニット２０５には光束が入射しない。すなわち、この場合には、ＡＦ動作は不可能となる。したがって、ライブビューモードに入ると、上記Ｂｕｃｏｍ２１０によりＡＦ動作状態からＭＦ動作状態に切り替えられる。
【００４５】
なお、ユーザーにより上記の各操作部材の操作で設定された内容は、上記バッファメモリ２１９又は上記Ｂｕｃｏｍ２０１内の不図示のメモリ等に保存される。
【００４６】
以下、図３（ａ）乃至（ｃ）を参照して、本実施形態に係る合焦状態表示装置による実際の合焦状態表示場面を説明する。
【００４７】
まず、上述したように、ユーザーにより上記ライブボタン３２６が押されると、当該カメラはライブビューモードに入る。このとき、上記液晶モニタ２２２においては、被写体のライブビュー表示が開始される。
【００４８】
また、当該カメラがライブビューモードに入ると図３（ａ）に示すように、上記液晶モニタ２２２の表示画面内に拡大領域を指定する上記拡大ボックス２３０が表示される（図３（ａ）においては被写体の描写は省略している）。
【００４９】
ここで、図３（ａ）及び（ｂ）に示す拡大ボックス２３０は、図３（ａ）に示すように、上記液晶モニタ２２２上のユーザー所望の領域へ移動可能な表示である。したがって、ユーザーは、拡大表示させたい部分の画像を含む所望の領域に、上記拡大ボックス２３０を重ね合わせて選択する。なお、上記拡大ボックス２３０の移動は、ユーザーによる上記十字ボタン３２４の操作により行われる。すなわち、ユーザーによる上記十字ボタン３２４の操作で、上記拡大ボックス２３０は、上記液晶モニタ２２２の表示画面内のユーザー所望の位置に移動させられる。その後、ユーザーによる上記ＯＫボタン３２５の操作により、上記拡大ボックス２３０が重ね合わされた領域の拡大表示が上記液晶モニタ２２２上に為される（図３（ｃ）参照）。
【００５０】
このように、上記ライブビューモードにおいては、ユーザーは任意の領域を拡大表示させることができる。なお、このような任意の領域の拡大表示の目的は、ＭＦ時のユーザーによるピントを合わせを容易にする為である。ここで、拡大表示における拡大率は、所定の領域における合焦度合いに応じて決定される（詳しくは後述する）。すなわち、所定の領域における合焦度合いが高いほど、拡大表示における拡大率も高くなる。以下、このような拡大表示の一例を、時系列に沿って説明する。
【００５１】
ここで、図３（ｂ）及び（ｃ）に示すように、例えば被写体２３１における頭部を含む領域を拡大表示させる場合には、ユーザーによる上記十字ボタン３２４の操作により被写体２３１における頭部を含む領域に上記拡大ボックス２３０が合わせられ、その後上記ＯＫボタン３２５が押されることで、図３（ｃ）に示すように、被写体２３１における頭部の領域が液晶モニタ２２２上に拡大表示される（拡大モードに移行する）。以降、図３（ｃ）に示すように拡大表示を行うモードを拡大モードと称する。このようにして、ユーザーにより位置を設定された上記拡大ボックス２３０の領域内の画像（図３（ｂ）参照）は、図３（ｃ）に示すように上記液晶モニタ２２２の表示画面全域を使用した拡大表示が為される。
【００５２】
ここで、上記拡大モードにおいては、上記拡大ボックス２３０内の領域の画像（本例では被写体２３１の頭部の画像）が液晶モニタ２２２上に拡大表示される。そして、該液晶モニタ２２２における中心から上下左右方向に表示画面全体の５０％の領域は合焦評価値演算領域２３２とされる。すなわち、合焦評価値演算領域２３２における合焦評価値が、所定のフレームレートおきに演算される。
【００５３】
そして、上記合焦評価値演算領域２３２において演算された合焦評価値は、例えば図３（ｃ）に示すように液晶モニタ２２２上の表示画面右側における合焦メーター２４０内に、表示バー２４１として表示される。ここで、上記表示バー２４１の長さが長いほど合焦評価値が高く（合焦度合いが高い）、上記表示バー２４１の長さが短いほど合焦評価値が低い（合焦度合いが低い）。なお、ここでは拡大モード時のみ合焦評価値の表示バー２４１を表示するようにしているが、図３（ｂ）に示す非拡大モード時においても同様に、上記合焦メーター２４０及び上記表示バー２４１を表示させるようにしても勿論よい。
【００５４】
なお、上記合焦評価値を上記合焦メーター２４０内の上記表示バー２４１として表現する為、及び上記合焦評価値に基づいて液晶モニタ２２２上の拡大表示の拡大率を決定する為の演算については後述する。
【００５５】
以下、上記ライブビューモードでの撮影動作におけるＢｕｃｏｍ２０１での動作制御の処理の流れを、図４（ａ）に示すフローチャートを参照して説明する。なお、当該カメラの構成部材の詳細な動作制御は図１を参照して上述した通りであるので、ここでは上記処理の流れを中心に説明する。
【００５６】
また、当該カメラにおけるレリーズスイッチ（不図示）は一般的な２段階スイッチである。すなわち、ユーザーにより半押しされることで第１レリーズスイッチがオンとなり、全押しされることで第２レリーズスイッチがオンとなる。なお、撮影動作は、上記第２レリーズスイッチがオンになった時に実行される。
【００５７】
まず、上述したライブビューモードへの移行操作が行われると（ユーザーにより上記ライブボタン３２６が押されると）、当該カメラはライブビューモードに入る。このとき、図３（ａ）乃至（ｃ）を参照して上述した一連の処理がユーザー操作によって行われる。これは、本発明の要旨ではないので、その詳細は省略する。このようなライブビューモードの前段階の処理が行われた後、図４（ａ）に示すフローチャートの処理に移行する。
【００５８】
まず、本第１実施形態に係る合焦状態表示装置におけるライブビューモードの動作を行い、上記液晶モニタ２２２に、被写体のライブビュー表示が開始される。（ステップＳ１）。ここで、このステップＳ１に関しては、後に別のフローチャートを参照して詳述する。このステップＳ１におけるライブビューモード動作中に、不図示のレリーズボタンがユーザーにより全押しされると、上記第２レリーズスイッチがオンされる。これにより、上記ステップＳ１におけるライブビューモード動作の処理を終了する。そして、上記メインミラー２０２ａを、上記アップ位置から、図１に示す上記メインミラー２０２ａの位置であるダウン位置（初期位置）まで、上記ミラー駆動機構２０７を介して駆動する（ステップＳ２）。このステップＳ２は、測光動作を実行する為のステップである。
【００５９】
次に、上記測光回路２０４で測光を行い、上記シャッター部２０８の開口時間及び上記絞り１０４の絞り値を演算する（ステップＳ３）。そして、上記メインミラー２０２ａを、ミラー駆動機構２０７で、上記アップ位置まで駆動する（ステップＳ４）。さらに、上記ステップＳ３にて算出した絞り値に基づいて、上記絞り１０４を駆動する（ステップＳ５）。
【００６０】
その後、上記撮像素子２１２の駆動を開始し、撮像動作を開始させる（ステップＳ６）。また、上記シャッター部２０８を、上記ステップＳ３で算出した開口時間に基づいて開口させ、再び閉口させる（ステップＳ７）。上記シャッター部２０８を閉口した後、上記撮像素子２１２の駆動を停止し、上記撮像インターフェイス回路２１７で、上記撮像素子２１２における画素データの読み出しを行う（ステップＳ８）。ここで、上記画像処理コントローラ２１８で、上記ステップＳ８にて上記撮像素子２１２から読み出した画素データを、画像処理する（ステップＳ９）。
【００６１】
そして、上記ステップＳ９で画像処理された画像データを、上記バッファメモリ２１９に一時的に格納する（ステップＳ１０）。さらに、上記絞り１０４を開放位置まで戻す（ステップＳ１１）。その後、当該画像データの画像ファイルを生成する（ステップＳ１２）。このステップＳ１２においては、上記ステップＳ１０で上記バッファメモリ２１９に一時的に格納した画像データを上記記録メディア２２１へ書き込む形態として、当該画像データの画像ファイルを生成する。そして、上記ステップＳ１２で生成した画像データの画像ファイルを記録メディア２２１へ記録する（ステップＳ１３）。その後上記ステップＳ１に戻ってライブビューを再開する。
【００６２】
以下、ライブビューモードの動作を終了する場合のＢｕｃｏｍ２０１での処理の流れを示すフローチャートである図４（ｂ）を参照して、ライブビューモードの終了動作を説明する。なお、上記ステップＳ１におけるライブビューモード動作中に、ユーザーにより上記ライブボタン３２６が押されることで、図４（ｂ）に示すフローチャートの処理に移行する。
【００６３】
まず、上記液晶モニタ２２２におけるライブビュー表示を終了する（ステップＳ２１）。つづいて、ライブビューモード中に設定されているＭＦ動作状態を解除し、ライブビューモード以前に設定されていたＡＦ動作状態に設定し直す（ステップＳ２２）。
【００６４】
そして、開口している上記シャッター部２０８を閉口する（ステップＳ２３）。さらに、この上記シャッター部２０８の閉口に伴って、上記撮像素子２１２の駆動を停止させる（ステップＳ２４）。つづいて、上記メインミラー２０２ａを、初期位置である上記ダウン位置まで駆動する（ステップＳ２５）。その後、待機状態となる。
【００６５】
以下、図５Ａ乃至図５Ｄを参照して、本第１実施形態に係る合焦状態表示装置の特徴部の一つである、マニュアルフォーカスの為の液晶モニタ２２２の表示画像、指標（表示バー２４１）の表示例を説明する。ここで、図５Ａは、本第１実施形態における合焦評価値と撮影光学系１０２のレンズ位置との関係を示す図である。図５Ｂは、図５Ａに示す各レンズ位置における合焦評価値の表示の一例を示す図である。図５Ｃは、図５Ａに示す移動（３）の過程における合焦評価値の表示の一例を示す図である。図５Ｄは、図５Ａに示す各レンズ位置における上記液晶モニタ２２２の表示の一例を示す図である。
【００６６】
なお、図５Ａに示すように、上記拡大モードに切り替わった時点における合焦評価値を、基準となる合焦評価値であるＡＦｒｅｆと設定する。そして、この時の撮影光学系１０２のレンズ位置をレンズ位置Ｌ２とし、この例の状態としてはレンズ位置Ｌ２での合焦評価値ＡＦｒｅｆは、かなり低い状態（かなりピンぼけした状態）にあるものとする。なお、拡大モードに切り替わった時から所定のフレームレートで、Ｂｕｃｏｍ２０１により合焦評価値演算が繰り返し行われる。ここで、上記撮影光学系１０２のレンズ位置がレンズ位置Ｌ２の時に、上記液晶モニタ２２２に表示される被写体像の拡大表示は、例えば図５Ｄ（２）に示すようになる。
【００６７】
また、この拡大表示における拡大率は、合焦評価値に応じた所定の値に設定される（詳しくは後述する）。なお、上記撮影光学系１０２のレンズ位置がレンズ位置Ｌ２の時の合焦評価値は、当然ながら合焦状態における合焦評価値よりも小さいので、この時の拡大率は小さく設定されている。
【００６８】
さらに、合焦メーター２４０内には、表示バー２４１として、各時点における合焦評価値に対応するバー表示が為される。なお、合焦評価値に対応するバー表示の表示値、及び拡大表示における拡大率の算出方法については後述する。したがって、図５Ａ乃至図５Ｃでは、合焦評価値を、数値的には概略的なものとして扱っている。
【００６９】
まず、ユーザーにとっては、上記ピントリング１０６の回転操作により、上記撮影光学系１０２のレンズ位置を上記レンズ位置Ｌ２から移動させる際に、ユーザーにとっては、最初どちらの回転方向に上記ピントリング１０６を回せば合焦状態に近付くのかが不明である。
【００７０】
したがって、ユーザーは、一旦何れか所望の方向に、上記ピントリング１０６を回転させて、上記撮影光学系１０２のレンズ位置を移動させることになる。例えば、ここで上記撮影光学系１０２のレンズ位置が、図５Ａに示すレンズ位置Ｌ１の位置となってしまった場合には、同図に示すように合焦評価値はより低くなり、ピンボケがひどくなる（移動（１））。
【００７１】
この時の上記液晶モニタ２２２に表示される被写体像の拡大表示は、例えば図５Ｄ（１）に示すようになる。すなわち、上記撮影光学系１０２のレンズ位置がレンズ位置Ｌ１である時は、上記撮影光学系１０２のレンズ位置がレンズ位置Ｌ２である時に比べて、拡大率がより小さく設定されている。これは、上記撮影光学系１０２のレンズ位置がレンズ位置Ｌ１である時は、上記撮影光学系１０２のレンズ位置がレンズ位置Ｌ２である時に比べて、合焦評価値が下がっているからである。
【００７２】
そして、上記合焦メーター２４０内には、上記撮影光学系１０２のレンズ位置がレンズ位置Ｌ１の時の合焦評価値に対応する上記表示バー２４１の表示がなされる（図５Ｂ参照）。このように合焦評価値が下がってしまった場合には、ユーザーは、それまでとは逆方向に上記ピントリング１０６を回転させればよい。
【００７３】
ここで、ユーザーが、それまでとは逆方向に、上記ピントリング１０６を回転させると、上記撮影光学系１０２のレンズ位置はレンズ位置Ｌ２、レンズ位置Ｌ３、及びレンズ位置Ｌ４を通過してレンズ位置Ｌ５の位置となり、該レンズ位置Ｌ５において合焦評価値はピーク値（最も合焦した状態）となる。
【００７４】
つまり、上記撮影光学系１０２のレンズ位置がレンズ位置Ｌ２、レンズ位置Ｌ３、及びレンズ位置Ｌ５の時に、上記液晶モニタ２２２に表示される被写体像の拡大表示は、それぞれ図５Ｄ（２）、図５Ｄ（３）、図５Ｄ（４）に示すようになる。すなわち、上記撮影光学系１０２のレンズ位置が、レンズ位置Ｌ１からレンズ位置Ｌ５に向かうに連れ、上記液晶モニタ２２２に表示される被写体像は拡大されていく。
【００７５】
換言すれば、上記液晶モニタ２２２には、上記撮影光学系１０２の各レンズ位置における合焦評価値に応じた所定の拡大率で被写体像の表示が行われていく。例えば、上記撮影光学系１０２のレンズ位置がレンズ位置Ｌ３の時は、レンズ位置Ｌ１及びレンズ位置Ｌ２の時よりも合焦評価値が大きくなっているので拡大率も大きく設定される。また、上記撮影光学系１０２のレンズ位置がレンズ位置Ｌ５の時には、レンズ位置Ｌ３の時よりも合焦評価値が大きいので拡大率も大きく設定される。
【００７６】
このように、上記撮影光学系１０２のレンズ位置が、レンズ位置Ｌ１からレンズ位置Ｌ５に向かうに連れ、被写体像のピント状態が合焦状態に近付くので、上記合焦メーター２４０内に表示される上記表示バー２４１も、図５Ｂに示すように、それぞれの時点における合焦評価値に対応する表示となる。なお、上記撮影光学系１０２のレンズ位置がレンズ位置Ｌ５の時は、合焦評価値がピーク値と成る時である。したがって、この時が最も合焦した状態となる。
【００７７】
しかしながら、上記撮影光学系１０２のレンズ位置が上記レンズ位置Ｌ５となり、合焦評価値がピーク値となった場合でも、その時点ではその値がピーク値であるか否かは、ユーザーにとっては不明である。したがって、上記撮影光学系１０２のレンズ位置が上記レンズ位置Ｌ５となった後も、ユーザーは上記ピントリング１０６の回転操作を続行するものと考えられる（移動（２））。
【００７８】
そして、例えば上記撮影光学系１０２のレンズ位置がレンズ位置Ｌ６となると、レンズ位置Ｌ５の時に比べて上記液晶モニタ２２２に表示される画像のピントがややぼける。すなわち、上記撮影光学系１０２のレンズ位置がレンズ位置Ｌ６である時の上記液晶モニタ２２２に表示される被写体像の拡大表示は、例えば図５Ｄ（５）に示すようになる。すなわち、上記撮影光学系１０２のレンズ位置がレンズ位置Ｌ６である時の合焦評価値に応じた所定の拡大率で、被写体像の拡大表示が上記液晶モニタ２２２に行われる。
【００７９】
具体的には、上記撮影光学系１０２のレンズ位置がレンズ位置Ｌ６の時は、レンズ位置Ｌ５の時よりも合焦評価値が低く、またレンズ位置Ｌ１及びレンズ位置Ｌ２の時よりも合焦評価値が高い。したがって、上記撮影光学系１０２のレンズ位置がレンズ位置Ｌ６の時の拡大率は、レンズ位置Ｌ２の時よりも大きく且つレンズ位置Ｌ５の時よりも小さく設定される。
【００８０】
つまり、上記撮影光学系１０２のレンズ位置が、レンズ位置Ｌ５からレンズ位置Ｌ６へと変化するに連れて、上記液晶モニタ２２２に表示される被写体像のピントはぼけていき、これに伴って拡大率の値も小さく設定されていく。
【００８１】
また、上記合焦メーター２４０には、上記撮影光学系１０２のレンズ位置がレンズ位置Ｌ５からレンズ位置Ｌ６へと変化するに連れて、各時点における合焦評価値に対応する上記表示バー２４１の表示がなされる。すなわち、図５Ｃに示すように、上記撮影光学系１０２のレンズ位置がレンズ位置Ｌ５からレンズ位置Ｌ６へと変化するに連れて、上記合焦メーター２４０における上記表示バー２４１は短くなっていく。
【００８２】
このような上記表示バー２４１の表示を確認したユーザーは、既に合焦位置を通過してしまったことを認識し、上記ピントリング１０６を逆回転させることで（移動（３））、上記撮影光学系１０２のレンズ位置を、上記レンズ位置Ｌ５まで戻す。
【００８３】
つまり、本第１実施形態に係る撮像装置では、合焦評価値に応じた所定の拡大率にて上記液晶モニタ２２２に被写体像の拡大表示を行う。すなわち、合焦評価値が大きい時ほど、拡大表示における拡大率を大きくする。
【００８４】
以下、上記表示バー２４１の表示値の算出方法について、以下に説明する。
【００８５】
本例においては、図５Ａ乃至図５Ｃから分かるように、レンズ位置Ｌ２における合焦評価値を、基準となる合焦評価値ＡＦｒｅｆとした。これは、上述したように、拡大モードに切り替わった時点での合焦評価値を合焦評価値の基準値とする為である。
【００８６】
そして、上記撮影光学系１０２が、上記レンズ位置Ｌ２の位置から上記レンズ位置Ｌ１の位置へ移動（移動（１））する過程においては、合焦評価値が減少していく。
【００８７】
このとき、上記Ｂｕｃｏｍ２０１は、例えば次の（１）式の演算を行って上記合焦メーター２４０内の表示バー２４１として表示する値（ＡＦｌｅｖｅｌ）を算出する。
【００８８】
ＡＦｎｏｗ＜ＡＦｒｅｆのとき：
表示値ＡＦｌｅｖｅｌ＝１０×（ＡＦｎｏｗ／ＡＦｒｅｆ）｝−５  …（１）
なお、上記ＡＦｎｏｗは、当該演算時における最新の合焦評価値を示す。また、上記（１）式における演算にて、ＡＦｌｅｖｅｌ＜０である場合は、ＡＦｌｅｖｅｌ＝０とする。なお、図５Ｂから分かるように、上記撮影光学系１０２のレンズ位置が、レンズ位置Ｌ２からレンズ位置Ｌ１の位置に近付くにつれて、ＡＦｌｅｖｅｌの値はより小さくなっていく。
【００８９】
ここで、上記（１）式から分かるように、ＡＦｎｏｗ＜ＡＦｒｅｆの場合には、上記合焦メーター２４０内に上記表示バー２４１として表示する値の算出において、ＡＦｎｏｗとＡＦｒｅｆとの比を１０倍して算出する。したがって、もしユーザーが、合焦状態へ近付く方向と反対の方向へ、ピントリング１０６を回転させた場合には、図５Ｂに示すように上記表示バー２４１の表示が急激に短くなっていく為、当該回転操作が合焦に向かう操作でないことをユーザーにはっきり且つ容易に認識させることができる。
【００９０】
一方、上記撮影光学系１０２のレンズ位置が、上記レンズ位置Ｌ２の位置からレンズ位置Ｌ６の位置への移動（移動（２））の過程においては、その間合焦評価値が増加していく。このとき、上記Ｂｕｃｏｍ２０１は、例えば次の（２）式の演算を行って上記合焦メーター２４１内の上記表示バー２４１として表示する値を算出する。
【００９１】
Ａｆｎｏｗ≧ＡＦｒｅｆのとき：
表示値ＡＦｌｅｖｅｌ＝ｌｏｇ２（ＡＦｎｏｗ／ＡＦｒｅｆ）＋５  …（２）
上記（２）式から分かるように、上記撮影光学系１０２のレンズ位置がレンズ位置Ｌ２の位置にある場合にはＡＦｌｅｖｅｌ＝５であるので、上記表示バー２４１は合焦メーター２４０における中央部（ＡＦｌｅｖｅｌが５を示すライン）と並ぶ表示となる。その後、レンズ位置Ｌ２からの移動に伴ってＡＦｌｅｖｅｌの値は大きくなり、最も合焦度合いの高くなるレンズ位置であるレンズ位置Ｌ５の位置を過ぎると、逆にＡＦｌｅｖｅｌの値は減少していく。
【００９２】
ここで、本実施形態の特徴の一つであるＡＦｎｏｗをＡＦｒｅｆで規格化して表示する理由を説明する。
【００９３】
先に説明したように、合焦評価値の絶対値は、その性格上、被写体のコントラスト、輝度、または手ぶれ等により大きく変化する。したがって、合焦評価値をリニアスケールで表示する方式を採ると、上記表示バー２４１が、被写体や撮影条件等の変化により大きく振れたり小さく振れたりすることになる。これでは、合焦評価値のピーク値を検出することは出来るものの、合焦評価値について知識の乏しい一般ユーザーにとっては、使い勝手が悪い。言い換えれば、上記合焦メーター２４０がマニュアルフォーカスを容易にする為に充分な役割を果たしているとは言い難い。
【００９４】
そこで、本実施形態においては、合焦評価値の表示については、所定の値で規格化した値に変換して表示することとした。そして、規格化のベースとしては、著しくピンボケするレンズ位置での評価値ＡＦｒｅｆが適当であると考えた。これは、合焦評価値のピーク値（上記レンズ位置Ｌ５における合焦評価値）をＡＦｐｅａｋとして、ＡＦｐｅａｋ−ＡＦｒｅｆの値のレンジを大きくすることができるからである。したがって、合焦評価値の絶対値が被写体や撮影条件によって大きくばらついてしまっても、本実施形態におけるようにＡＦｒｅｆを基準として規格化することにより、ＡＦｐｅａｋ−ＡＦｒｅｆ間のレンジを十分に大きく且つ所定範囲に収めることができる。すなわち、上記合焦メーター２４０の表示レンジ（ここでは、５〜１０）を最適化することができる。
【００９５】
次に、上記（２）式において対数圧縮による圧縮演算を行う理由を説明する。
【００９６】
まず、合焦評価値の絶対値は、その演算方法によっても異なるが、ＡＦｐｅａｋとＡＦｒｅｆとの比は数十倍となる。したがって、リニアスケールで合焦評価値を表示したのでは、合焦メーター２４０の表示レンジを、適切に設定することができない。このような事実に鑑みて、本実施形態においては上記（２）式に示すように対数圧縮を行うこととした。これにより、ＡＦｌｅｖｅｌを５乃至１０で表示できるので、ＡＦｐｅａｋとＡＦｒｅｆとが２5＝３２倍となる範囲まで対応可能となる。
【００９７】
なお、合焦評価値の演算方法によって、ＡＦｐｅａｋとＡＦｒｅｆとの比がもっと小さい場合には対数圧縮しなくてもよいし、圧縮方法も対数でなくても勿論よい。
【００９８】
以下、上述した拡大率の設定方法について説明する。
【００９９】
上記液晶モニタ２２２に表示される被写体像の拡大表示における拡大率Ｋは、例えば以下のように設定される。
【０１００】
拡大率Ｋ＝ｋ１×ＡＦｎｏｗ      …（３）
なお、ｋ１は、所定の係数を示し、ＡＦｎｏｗは、合焦評価値を示す。また、拡大率Ｋの最大値、最小値は、例えばそれぞれ１０倍、１倍とする。
【０１０１】
このように設定することで、上記液晶モニタ２２２に表示される被写体像の拡大表示における拡大率Ｋを、合焦評価値の大きさに比例した値に設定することができる。
【０１０２】
なお、拡大率Ｋの設定方法として、上述した設定方法以外にも、以下に記すような設定方法が考えられる。
【０１０３】
［第１設定方法］
本第１設定方法では、拡大率Ｋは、以下のように設定される。
【０１０４】
拡大率Ｋ＝ｍ１×ＡＦｌｅｖｅｌ      …（４）
なお、ｍ１は、所定の係数を示し、ＡＦｌｅｖｅ１は上記表示バー２４１の表示値を示す。また、拡大率Ｋの最大値、最小値を、例えばそれぞれ１０倍、１倍とする。
【０１０５】
上記（４）式によれば、拡大率Ｋを、上記表示バー２４１の表示値の大きさに比例した値として設定することができる。つまり、本設定方法１によれば、上記表示バー２４１の表示変化と、上記液晶モニタ２２２に表示される被写体像の拡大表示における拡大率Ｋの変化とを対応させることができる。
【０１０６】
［第２設定方法］
本第２設定方法は、上記第１設定方法において、上記表示バー２４１の表示値ＡＦｌｅｖｅ１の大きさに応じて、上記表示バー２４１の表示値ＡＦｌｅｖｅｌに掛ける係数の値を変更する設定方法である。具体的には、本第２設定方法では、拡大率Ｋは以下のように設定される。
【０１０７】
（ｉ）ＡＦｌｅｖｅｌ＜Ｂの時、
拡大率Ｋ＝ｍ１×ＡＦｌｅｖｅｌ      …（５）
（ｉｉ）ＡＦｌｅｖｅｌ≧Ｂの時、
拡大率Ｋ＝ｍ２×（ＡＦｌｅｖｅｌ−Ｂ）＋ｍ１・Ｂ      …（６）
なお、ｍ１＞ｍ２である。
【０１０８】
すなわち、本第２設定方法においては、上記表示バー２４１の表示値ＡＦｌｅｖｅ１の値が所定値Ｂより小さい場合、すなわちピントがぼけている（合焦評価値が小さい）場合には、上記表示バー２４１の表示値ＡＦｌｅｖｅｌに掛ける係数を、ｍ２より大きなｍ１とする。これにより、上記表示バー２４１の表示値ＡＦｌｅｖｅ１の変化に対する拡大率Ｋの変化を大きくしている。
【０１０９】
つまり、ピントが大ぼけの状態では、上記ピントリング１０６の回転操作に対する上記液晶モニタ２２２に表示される画像のピント状態の変化が小さい（視覚的に認識しにくい）ので、拡大率Ｋを大きく変化させることで、ピント状態の変化を視覚的に認識しやすくする。
【０１１０】
一方、上記表示バー２４１の表示値ＡＦｌｅｖｅ１の値が所定値Ｂより大きい場合、すなわち合焦評価値が大きい場合には、上記表示バー２４１の表示値ＡＦｌｅｖｅｌに掛ける係数を、ｍ１より小さなｍ２とすることで、上記表示バー２４１の表示値ＡＦｌｅｖｅ１の変化に対する拡大率Ｋの変化を小さくしている。
【０１１１】
つまり、合焦評価値が大きい場合には、上記ピントリング１０６の回転操作に対する上記液晶モニタ２２２に表示される画像のピント状態の変化を小さくすることで、ピント状態の変化を観察しながらのＭＦ操作が容易になる。
【０１１２】
以上説明したように、本第２設定方法は、上記液晶モニタ２２２に表示される被写体像の拡大表示のピント状態の変化を観察しながらのＭＦ操作を行う際には、とても有効である。
【０１１３】
［第３設定方法］
本第３設定方法は、上記第２設定方法と同様、上記第１設定方法において、上記表示バー２４１の表示値ＡＦｌｅｖｅ１の大きさに応じて、上記表示バー２４１の表示値ＡＦｌｅｖｅｌに掛ける係数の値を変更する設定方法である。具体的には、本第３設定方法では、拡大率Ｋは以下のように設定される。
【０１１４】
（ｉ）ＡＦｌｅｖｅｌ＜Ｂの時、
拡大率Ｋ＝ｍ３×ＡＦｌｅｖｅｌ      …（７）
（ｉｉ）ＡＦｌｅｖｅ１≧Ｂの時、
拡大率Ｋ＝ｍ４×（ＡＦｌｅｖｅｌ−Ｂ）＋ｋ３・Ｂ      …（８）
なお、ｍ４＞ｍ３である。
【０１１５】
すなわち、本第３設定方法においては、上記表示バー２４１の表示値ＡＦｌｅｖｅ１の値が所定値Ｂより大きい場合、すなわち合焦に近い状態の場合には、上記表示バー２４１の表示値ＡＦｌｅｖｅｌに掛ける係数を、ｍ３より大きいｍ４として拡大率Ｋの変化を大きくする。これにより、上記ピントリング１０６の回転操作に対する上記液晶モニタ２２２に表示される被写体像の拡大表示の大きさの変化が大きくなるので、合焦評価値がピーク値となった（合焦状態である）ことを視覚的に認識しやすくなる。
【０１１６】
以上説明したように、本第３設定方法は、上記液晶モニタ２２２に表示される被写体像の拡大表示のピント状態の変化よりも、被写体像の大きさの変化を重視してＭＦ操作を行う際にはとても有効である。
【０１１７】
［第４設定方法］
本第４設定方法は、上記第１設定方法乃至上記第３設定方法によって拡大率Ｋを設定する際に、合焦評価値がピーク値と成った（ピーク越えを果たした）後に、拡大率Ｋの設定方法を変更する設定方法である。
【０１１８】
すなわち、合焦評価値がピーク越えを果たした後に、ＭＦによって合焦状態に向けてピントの微調節を行う場合に、合焦評価値の変化に対する拡大率Ｋの変化をより大きくすることで、ユーザーにとって視覚的に合焦状態を認識しやすくして、ピントの微調整を行いやすくする。
【０１１９】
具体的には、本第４設定方法においては、拡大率Ｋは以下のように設定される。
【０１２０】
合焦評価値がピーク越えを果たした後においては、
拡大率Ｋ＝Ｋｍａｘ−ｍ５×ＡＦｌｅｖｅ１      …（９）
なお、ｍ５＞ｍ１〜ｍ４である。また、Ｋｍａｘは拡大率の最大値を表し、例えば１０倍である。
【０１２１】
このように、本第４設定方法においては、合焦評価値がピーク越えを果たした後は、拡大率Ｋの最大値であるＫｍａｘを基準として、ピーク越え前の係数ｍ１〜ｍ４よりも大きな係数ｍ５を採用して拡大率Ｋを設定する。これにより、合焦評価値がピーク越えを果たした後における、合焦評価値の変化に対する拡大率Ｋの変化を、より大きくすることができる。つまり、本第４設定方法によれば、合焦評価値がピーク越えを果たした後に、ＭＦによって合焦状態に向けてピントの微調整を行う際の操作性を向上させることができる。
【０１２２】
以上、拡大率Ｋの設定方法として、［第１設定方法］乃至［第４設定方法］を説明したが、拡大率Ｋの設定方法はこれらに限らない。すなわち、上記ピントリング１０６の回転操作と上記液晶モニタ２２２に表示される被写体像の拡大表示の視覚的効果とを併せて考慮し、ユーザーの操作感が向上するような合焦評価値または上記表示バー２４１の表示値ＡＦｌｅｖｅ１の関数として、高次関数等の別の関数を使用して拡大率Ｋを設定しても勿論よい。
【０１２３】
以下、図６に示すフローチャートを参照して、ライブビューモードにおいて図５Ａ乃至図５Ｃに示す合焦評価値を実際に表示する為の上記Ｂｕｃｏｍ２０１での動作制御を説明する。なお、図６に示すフローチャートは、図４（ａ）に示すフローチャートにおけるステップＳ１の処理を詳細に示すフローチャートでもある。また、同フローチャート中において同じ処理を行うステップは、同じステップ番号を付して説明も省略する。
【０１２４】
なお、ライブビューモードにおいてはＡＦモードは使用不能である。したがって、もしＡＦモードに切り替える為のＡＦモード選択スイッチ（不図示）によってＡＦモードが選択されている場合でも、まず強制的にＭＦモードに切り替える（ステップＳ３１）。すなわち、このステップＳ３１における処理で、ライブビューモードを実行する為にＭＦモードに切り替える。
【０１２５】
続いて、上記メインミラー２０２ａを上記アップ位置まで移動し、シャッター部２０８を開口する（ステップＳ３２）。これにより、該開口を通して、撮像素子２１２に全光束が入射するようになる。その後、同期信号の入力を待つ（ステップＳ３３）。ここで該同期信号とは、上記撮像素子２１２を所定間隔おきに駆動して映像信号を得るための信号である。例えばフレームレートが３０フレーム／ｓである場合には、１秒間に３０回映像信号を得る。すなわち、この場合３３．３３ｍｓ毎に同期信号が撮像インターフェイス回路２１７より入力されることとなる。
【０１２６】
その後、上記同期信号の入力があったと判断した場合には、上記撮像インターフェイス回路２１７によって上記撮像素子２１２の電荷蓄積動作を行う（ステップＳ３４）。そして、上記撮像素子２１２の電荷蓄積動作を終了すると、上記撮像インターフェイス回路２１７によって画像データの読み出しを行う（ステップＳ３５）。その後、今回の撮像データに公知の演算を施して露出を評価するＡＥ評価値を演算し、該演算結果に基づいて次回の撮像素子２１２駆動時の露光量を演算する（ステップＳ３６）。ここで、上記撮像素子２１２は公知の電子シャッター機能を搭載しており、上記ステップＳ３６において演算され算出された露光量に従って電荷蓄積時間を設定する。
【０１２７】
続いて、設定エリア（ここでは該設定エリアとは図３（ｃ）に示す上記合焦評価値演算領域２３２のこと；以下同様）内の合焦評価値を演算し、その後の基準となる合焦評価値であるＡＦｒｅｆとする。（ステップＳ３７）。なお、合焦評価値とは、撮像素子２１２の出力にハイパスフィルタ処理を施して高周波成分を抽出し、更に公知の演算を行うことによって得られる値であり、従来よりさまざまな演算式が知られている。また、この合焦評価値は、ピントが合うほど高周波成分が多くなるので大きな値になる。
【０１２８】
ところで、上記ステップＳ３７における処理が終了した後は、次の上記同期信号が入力されるのを待つ（ステップＳ３３Ａ）。ここで、上記同期信号を検出すると、上述したステップＳ３４乃至上記ステップＳ３６における処理と同様の処理であるステップＳ３４Ａ乃至ステップＳ３６Ａを実行する。
【０１２９】
そして、上記ステップＳ３６Ａにおける処理を終えると、上記設定エリア内の合焦評価値を演算し、得られた値を合焦評価値ＡＦｎｏｗとする（ステップＳ３８）。続いて、ＡＦｒｅｆの値とＡＦｎｏｗの値との大小を判断する（ステップＳ３９）。すなわち、このステップＳ３９では、ＡＦｎｏｗ＜ＡＦｒｅｆであるか否かを判断する。
【０１３０】
上記ステップＳ３９をＹＥＳに分岐する場合は、上述した（１）式に従って、上記表示バー２４１の表示値であり、また上記液晶モニタ２２２における拡大表示の拡大率Ｋを設定するのに要する値でもあるＡＦｌｅｖｅｌとして、ＡＦｎｏｗ／ＡＦｒｅｆを非圧縮演算する（ステップＳ４０）。そして、次の上記同期信号を待つ。
【０１３１】
一方、上記ステップＳ３９をＮＯに分岐する場合は、ＡＦｎｏｗ≧ＡＦｒｅｆであるので、上述した（２）式に従って、上記表示バー２４１の表示値であり、また上記液晶モニタ２２２における拡大表示の拡大率Ｋを設定するのに要する値でもあるＡＦｌｅｖｅ１として、ＡＦｎｏｗ／ＡＦｒｅｆを圧縮演算する（ステップＳ４１）。
【０１３２】
なお、上記液晶モニタ２２２における画像表示及び上記表示バー２４１の表示は、上述したようにして算出される表示値ＡＦｌｅｖｅｌ及び拡大率Ｋの値に応じて、随時表示が更新される。そして、次の上記同期信号を待つ（ステップＳ３３Ａ）。
【０１３３】
以下、割り込み処理のステップについて説明する。
【０１３４】
まず、上記ステップＳ３３乃至上記ステップＳ４１における処理の最中に、所定のフレームレートによるライブビュー表示の更新動作を実行している間に、ユーザーにより上記第２レリーズスイッチがオンされると、Ｂｕｃｏｍ２０１の割り込み処理にて当該フローチャートにおけるシーケンスを抜けて、図４（ａ）を参照して説明した上記ステップＳ２の処理に移行し、撮影動作を行う（ステップＳ４２）。
【０１３５】
また、上記ステップＳ３３乃至上記ステップＳ４１における処理の最中に、所定のフレームレートによるライブビュー表示の更新動作を実行している間に、ユーザーにより上記ライブボタン３２６が押されると、Ｂｕｃｏｍ２０１の割り込み処理にて当該フローチャートにおけるシーケンスを抜けて、図４（ｂ）を参照して説明した上記ステップＳ２１の処理に移行し、ライブビューモードの終了動作を行う（ステップＳ４３）。
【０１３６】
以上説明したように、本第１実施形態によれば、マニュアルフォーカスを行う際の操作性が良好であり、マニュアルフォーカスによるピント合わせを容易に行うことができる撮像装置を提供することができる。
【０１３７】
すなわち、本第１実施形態に係る撮像装置では、合焦評価値の大きさに応じて、上記液晶モニタ２２２における被写体像の拡大表示の拡大率Ｋを変化させることで、ＭＦを行う際の操作性を向上させた。具体的には、合焦評価値が大きいほど拡大率Ｋを大きくすることで、ピント状態の変化を視覚的に捉えやすくし、ＭＦを行う際の操作性を大幅に向上させた。
【０１３８】
さらに、本第１実施形態に係る撮像装置によれば、ユーザーは、合焦評価値の大きさを示す上記表示バー２４１の表示と、上記液晶モニタ２２２に表示される被写体像の拡大表示とを併用することで、ＭＦを行う際の操作性をより向上させることができる。
【０１３９】
つまり、本第１実施形態に係る撮像装置のユーザーは、上記液晶モニタ２２２に表示される被写体像のピント状態、被写体像の表示の大きさ、及び表示バー２４１の変化によって合焦度合いを認識することができる。したがって、本第１実施形態によれば、従来の撮像装置に比べて、ＭＦを行う際の操作性が大幅に向上した撮像装置を提供することができる。
【０１４０】
［変形例］
以下、上記第１実施形態の一変形例を説明する。
【０１４１】
本変形例においては、一旦設定した上記ＡＦｒｅｆの再設定の操作を簡略化することを目的とする。本変形例により、例えば被写体の変更等があった場合における、上記ＡＦｒｅｆの再設定の煩わしさ（拡大モードを一旦抜けてから再度拡大モードに入るという操作）を省くことができる。
【０１４２】
図７に示すフローチャートは、図６に示すフローチャートの一部を変更したフローチャートである。したがって、図７に示すフローチャートにおけるステップのうち、図６に示すフローチャートにおけるステップと同一の処理を行うステップについては同じステップ番号を付し、説明を省略する。以下、本変形例の特徴部分であるステップＳ４４について説明する。
【０１４３】
まず、不図示の表示スタートスイッチがユーザーにより押されると、Ｂｕｃｏｍ２０１の割り込み処理で、ステップＳ４４の処理に移行する。ここで、ステップＳ４４においては、不図示の表示スタートスイッチがユーザーにより押された時点での撮影画像から合焦評価値を上述したように算出し、該算出した値を改めてＡＦｒｅｆとして設定する。その後、ステップＳ４４の割り込み前に処理を行っていたステップに戻る。
【０１４４】
以上説明したように、本変形例によれば、上記第１実施形態に係る合焦状態表示装置の奏する効果に加えて、以下の効果を奏する合焦状態表示装置を提供することができる。すなわち、本変形例によれば、上述したように容易な操作により新たにＡＦｒｅｆを設定でき、その新たに設定されたＡＦｒｅｆがその後上記ステップＳ３９における処理で使用されるので、上記合焦メーター２４０の表示および液晶モニタ２２２の拡大表示が完全に更新される。つまり、本変形例によれば、被写体を変更した場合に、上記合焦メーター２４０における上記表示バー２４１の表示および液晶モニタ２２２の拡大表示の拡大率を容易に最初の設定から行える合焦状態表示装置を提供することができる。
【０１４５】
なお、上記表示スタートスイッチとしては、専用のスイッチを設けてもよいし、他のスイッチと兼用のスイッチとしても勿論よい。
【０１４６】
［第２実施形態］
以下、図面を参照して、本発明の第２実施形態に係る合焦状態表示装置を説明する。
【０１４７】
図８Ａ乃至Ｃは、本実施形態に係る合焦状態表示装置の特徴部の一つである、マニュアルフォーカスの為の指標である合焦評価値の表示の一例を示す図である。ここで、図８Ａは、本実施形態における合焦評価値と撮影光学系１０２のレンズ位置との関係を示す図である。図８Ｂは、図８Ａに示す各レンズ位置における合焦評価値の表示の一例を示す図である。図８Ｃは、図８Ａに示す移動（３）の過程における合焦評価値の表示の一例を示す図である。図８Ｄは、図８Ａに示す各レンズ位置における上記液晶モニタ２２２の表示の一例を示す図である。
【０１４８】
以下、ユーザーによる上記ピントリング１０６の回転操作と、該回転操作に対応する上記液晶モニタ２２２における被写体像の拡大表示、及び上記表示バー２４１の表示について説明を行う。
【０１４９】
なお、この図８Ａ乃至図８Ｄは、上述した第１実施形態における図５Ａ乃至図５Ｄにそれぞれ対応する図である。特に、本実施形態では、移動（１）及び移動（２）に関しては、上記第１実施形態における図５Ａに示す移動（１）及び移動（２）の場合と全く同様の表示を行う。したがって、ここでは上記第１実施形態に係る撮像装置と本第２実施形態に係る撮像装置との相違点を中心に説明する。
【０１５０】
図８Ｂは、上記移動（２）の過程において、撮影光学系１０２のレンズ位置がレンズ位置Ｌ６まで移動した場合を示す図である。なお、同図から分かるように、この移動（２）の過程において、合焦評価値の値はその最大値ＡＦｐｅａｋを通過してしまっている。本実施形態では、このような場合に、合焦評価値の最大値ＡＦｐｅａｋを通過してしまった旨をユーザーに認識させる為に、合焦評価値の最大値ＡＦｐｅａｋを通過したと判断（以降ピーク越え判断と称す）した場合に、合焦評価値の表示形態すなわち上記表示バー２４１の表示形態及び上記液晶モニタ２２２における被写体像の拡大表示の表示形態を切り替える。なお、上記ピーク越え判断のアルゴリズムの詳細については、図９を参照して後述する。
【０１５１】
つまり、本第２実施形態においては、一旦上記ピーク越えをすると、上記ピーク越え判断アルゴリズムによりピーク越えを果たしたことの判断を行い、上記表示バー２４１の表示形態を、図８Ｃに示すように切り替える（図８に示す例では、表示色を黒色→赤色）。さらに、上記液晶モニタ２２２における被写体像の拡大表示を図８Ｄ（５）に示すようにその表示色を切り替える。なお、図８Ｄ（５）に示す例では、当該画像の自然色から、灰色かかった自然色へと、その表示色を切り替えている。
【０１５２】
なお、図８Ｂにおけるレンズ位置Ｌ６時の上記表示バー２４１の表示は、上記ピーク越えの判断時から上記表示バー２４１の表示形態の切り替え時までの間の僅かな瞬間（タイムラグ中）に表示される過渡的な表示である。
【０１５３】
このように、上記表示形態の切り替えとして具体的には、例えば表示色の変更が挙げられる。図８Ｃに示す例においては、ピーク越え判断をした場合には、上記表示バー２４１の表示色を赤色に切り替えている（通常の上記表示バー２４１の表示色は黒色とする）。さらに、上記液晶モニタ２２２における被写体像の拡大表示の表示色を、図８Ｄ（５）に示すように切り替える（図８Ｄに示す例では、表示色を画像の自然色→灰色がかった自然色）。
【０１５４】
なお、上記表示形態の切り替えとしては、表示色の切り替え以外にも、上記表示バー２４１のテクスチャーパターンの変更（例えばストライプ状のテクスチャーパターンへの変更）、上記表示バー２４１の上記液晶モニタ２２２における表示位置の変更、上記液晶モニタ２２２の表示部内の外枠の色の変更というような、表示形態の切り替えも考えられる。すなわち、ユーザーが上記ピーク越えを認識できるような表示形態の切り替えであればよい。また、図８Ｄ（５）に示すように上記液晶モニタ２２２の表示部全体の表示色を変更するのではなく、上記液晶モニタ２２２の表示部の一部の表示色を変更するとしても勿論よい。
【０１５５】
ここで、図８Ａ及び図８Ｃに示す移動（３）は、ユーザーによる上記ピントリング１０６の逆回転操作（上記ピーク越え時における回転方向に対して逆回転の操作）により、上記撮影光学系１０２のレンズ位置が、レンズ位置Ｌ５（最も良好な合焦状態のレンズ位置）のレンズ位置まで戻される移動過程における上記表示バー２４１の表示を示している。なお、図８Ｃでは撮影光学系１０２が、レンズ位置Ｌ５を再度通過して、レンズ位置Ｌ１の位置まで戻される時点の表示を示している。
【０１５６】
さらに、本第２実施形態には、上記第１実施形態にはない以下のような特徴がある。すなわち、本第２実施形態においては、上記表示バー２４１のレンジと上記液晶モニタ２２２における拡大表示時の拡大率の挙動を、上記ピーク越え判断前後で変更する。これにより、ユーザーによるＭＦ動作がより容易なものになる。
【０１５７】
具体的には、上記液晶モニタ２２２の拡大表示については、一旦上記ピーク越え判断アルゴリズムによりピーク越えを果たしたことが判断されると、拡大率を固定する。例えば最大値である１０倍に固定する。
【０１５８】
また、上記表示バー２４１のレンジ変更については、上記移動（２）までの過程において、初期位置から合焦位置までの合焦評価値のレンジ（ＡＦｐｅａｋ−ＡＦｒｅｆ）がわかっているので、ピーク越え判断前では対数圧縮表示していた上記表示バー２４１のＡＦ表示を、ピーク越え判断後は次式に基づいての非圧縮表示に変更することによって、ＡＦｐｅａｋ付近の表示スケールを拡大表示することができる。
【０１５９】
ピーク越え判断後：
表示値ＡＦｌｅｖｅｌ＝１０×（ＡＦｎｏｗ／ＡＦｐｅａｋ）｝−２      …（９）
これによってＡＦｎｏｗ＝ＡＦｐｅａｋである場合をＡＦｌｅｖｅｌ＝８として、合焦評価値を上記表示バー２４１にて０〜１０の範囲でリニアスケールでの表示が可能になる。
【０１６０】
以下、図９（ａ），（ｂ）を参照して、上記ピーク越え判断のアルゴリズムを説明する。
【０１６１】
図９（ａ）は、上記ピーク越え判断を正しく判断できるような上記ピントリング１０６の回転操作がユーザーにより行われた場合のピーク越えアルゴリズムを説明する図である。すなわちこの例は、上記ピーク越えを果たすまで、ユーザーにより上記ピントリング１０６が一方向に回転させられる場合である。この場合、上記ピーク越え後、上記合焦評価値がその最大値から所定量だけ低下したとＢｕｃｏｍ２０１が判断したとき（ＡＦｐｅａｋ−ＡＦｎｏｗの値が所定値より大きくなったと判断したとき）、上記表示バー２４１の表示形態を切り替える。
【０１６２】
そして、この上記表示バー２４１の表示形態の切り替えで上記ピーク越えを認識したユーザーは、上記ピントリング１０６を、上記表示形態の切り替えまでとは逆方向に回転させて、合焦評価値のピーク値であるＡＦｐｅａｋまで、上記撮影光学系１０２のレンズ位置を移動させる。
【０１６３】
一方、図９（ｂ）は、上記ピーク越えを果たす前に、ユーザーにより上記ピントリング１０６の逆回転操作が為された場合のピーク越えアルゴリズムを説明する図である。この場合、Ｂｕｃｏｍ２０１は、上記逆回転操作直前の合焦評価値を、その最大値ＡＦｐｅａｋであると判断しないようにしなければならない。その為には、ピントリング１０６が連続的に一方向にのみ回転させられていることの判断、または合焦評価値がその最大値ＡＦｐｅａｋとなる前後において回転方向が同一であること（反転していないこと）の判断を、Ｂｕｃｏｍ２０１が行えば良い。
【０１６４】
すなわち、Ｂｕｃｏｍ２０１は、合焦評価値がその最大値ＡＦｐｅａｋとなる前後において回転方向が同一でなければ、上記ＡＦｐｅａｋの設定は行わないとすればよい。
【０１６５】
ここで、上記回転方向の検出の為には、例えば上記レンズ駆動機構１０３内に在る不図示のレンズ位置モニタ回路（例えば、フォトインタラプタ出力のパルスや、エンコーダ出力等）の出力により、上記ピントリング１０６の回転方向を、Ｌｕｃｏｍ１０１を介してＢｕｃｏｍ２０１が検出すればよい。このようにして、Ｂｕｃｏｍ２０１は、上記ピントリング１０６の回転方向を検出することで、上記ピーク越え判断を適正に行うことができる。
【０１６６】
以下、図１０Ａ及び図１０Ｂに示すフローチャートを参照して、ライブビューモードにおいて図９（ａ），（ｂ）に示す合焦評価値を実際に表示する為の上記Ｂｕｃｏｍ２０１での動作制御を説明する。なお、図１０Ａ及び図１０Ｂに示すフローチャートは、図４に示すフローチャートにおけるステップＳ１の処理を詳細に示すフローチャートでもある。また、図６に示すフローチャートにおけるステップと同じ処理を行うステップについては、同じステップ番号を付して説明も省略する。
【０１６７】
まず、上記ステップＳ３３において上記同期信号の入力があったと判断した場合には、レンズ位置データ（ピントリング１０６の回転方向を示すデータ）をＬｕｃｏｍ１０１から取得する（ステップＳ４５）。ここでは、上述したように、レンズ駆動機構１０３内に在る不図示のレンズ位置モニタ回路を使用する。
【０１６８】
また、上記ステップＳ３７において上記設定エリア内の合焦評価値を演算し、その後の基準となる合焦評価値ＡＦｒｅｆとした後、ＡＦｐｅａｋの値を、合焦評価値の初期値ＡＦｒｅｆ（ＡＦｐｅａｋ＝ＡＦｒｅｆ）に初期化する（ステップＳ４６）。このＡＦｐｅａｋの値は後述するステップＳ４９で使用する。続いて、後述するピーク越え判断に使用するピーク越えフラグｆｌａｇ＿ｐｅａｋを１に初期化する（ステップＳ４７）。
【０１６９】
そして、このステップＳ４７の後、上記ステップＳ３３と同様の処理を行うステップＳ３３Ａにおいて上記同期信号の入力があったと判断した場合には、上記ステップＳ４５と同様にして、最新の上記レンズ位置データを取得する（ステップＳ４８）。
【０１７０】
その後、上記ステップＳ３４乃至上記ステップＳ３６と同様の処理を行うステップＳ３４Ａ乃至ステップＳ３６Ａにおける処理を行い、上述したステップＳ３８にて、上記設定エリア内の合焦評価値を演算し、得られた値を現在の合焦評価値としてＡＦｎｏｗとした後、上記ＡＦｎｏｗの値と上記合焦評価値ＡＦｐｅａｋ（初期値はステップＳ４６で設定、その後は後述のステップＳ５０で更新設定）の値との大小を比較する（ステップＳ４９）。
【０１７１】
上記ステップＳ４９をＹＥＳに分岐する場合は、ＡＦｐｅａｋ＜ＡＦｎｏｗであって未だ合焦評価値がピーク値に達していない場合である。この場合、ＡＦｐｅａｋ＝ＡＦｎｏｗと代入する（ステップＳ５０）。その後、上記ステップＳ３９へ移行する。したがって、上記合焦評価値がピーク値に達するまでは上記ステップＳ５０へのパスを通り続けることとなる。
【０１７２】
一方、上記ステップＳ４９をＮＯに分岐する場合は、ＡＦｐｅａｋ≧ＡＦｎｏｗである。この場合、ＡＦｐｅａｋ−ＡＦｎｏｗの値が所定量に達しているか否か（ＡＦｐｅａｋ−ＡＦｎｏｗ＜所定値  であるか否か）を判断する（ステップＳ５１）。
【０１７３】
このステップＳ５１をＹＥＳに分岐する場合は、ＡＦｐｅａｋ−ＡＦｎｏｗの値が所定量に達していない場合、すなわち合焦評価値のピーク値を過ぎたが未だピーク値から僅かしか合焦評価値の値が低下していない場合である。この場合は、上記ステップＳ３９に移行する。
【０１７４】
ところで、上記ステップＳ５１をＮＯに分岐する場合は、合焦評価値がピーク値となった後に充分に低下したと判断した場合である。この場合、上記ピーク越えフラグｆｌａｇ＿ｐｅａｋの論理（ｆｌａｇ＿ｐｅａｋ＝０であるか）を判断する（ステップＳ５２）。
【０１７５】
ここで、ライブビューモードに移行した後において最初に合焦評価値のピーク値を通過してからも上記ピントリング１０６が回転させられ続けた場合は、上記ステップＳ４７でｆｌａｇ＿ｐｅａｋ＝１と設定されているので、上記ステップＳ５２をＮＯに分岐して、後述するステップＳ５３に移行する。
【０１７６】
上記ステップＳ５２をＮＯに分岐する場合は、合焦評価値がピーク値となった後に充分に低下したと判断した場合である。この場合、上記ピーク値の前後でピントリング１０６の回転方向は同一か否かを判断する（ステップＳ５３）。このステップＳ５３での判断は、ステップＳ４８で取得した上記レンズ位置データ、すなわち合焦評価値がピーク値となる前後の上記レンズ位置データを参照して行う。
【０１７７】
なお、ライブビューモードに移行した後、合焦評価値が減少する方向にのみ上記ピントリング１０６が回転させられ続けた場合にも上記ステップＳ５３に移行することになる。このとき、ＡＦｐｅａｋの値は上記ステップＳ４６で設定された（ライブビューモードに移行したときの合焦評価値であるＡＦｒｅｆ）値である。したがって、このときのＡＦｐｅａｋの値は、真のピーク値であるとはいえない。そして、実際この場合上記ステップＳ５３をＮＯに分岐する為、後述するステップＳ５４に進むという適切な処理となる。
【０１７８】
すなわち、上記ステップＳ５３をＮＯに分岐する場合は、合焦評価値がピーク値となった後に充分に低下したと判断した場合であって、且つ合焦評価値がピーク値となった前後におけるピントリング１０６の回転方向が同一ではない場合である。この場合、上記ピーク越えフラグｆｌａｇ＿ｐｅａｋ＝０とする（ステップＳ５４）。
【０１７９】
なお、上記ステップＳ５３をＮＯに分岐する場合は、図１０Ｂに示した状態であるので、この場合のＡＦｐｅａｋの値は真のピーク値ではないと判断すべきである。したがって、この場合上記ステップＳ５４で上記ピーク越えフラグｆｌａｇ＿ｐｅａｋ＝０とし、これにより次回の上記ステップＳ５２はＹＥＳに分岐することとなり、上記ステップＳ５５に移行する。
【０１８０】
一方、上記ステップＳ５３をＹＥＳに分岐する場合は、合焦評価値がピーク値となった後に充分に低下したとステップＳ５１において判断し、且つ合焦評価値がピーク値となった前後で上記ピントリング１０６の回転方向が同一であるとステップＳ５３において判断した場合である。この場合は図９（ａ）に示した状態であるので、図８Ｃ及び図８Ｄを参照して説明したように、上記表示バー２４１の表示形態及び上記液晶モニタ２２２の表示形態を切り替える（ステップＳ５８）。すなわち、ここでは上述したように、表示バー２４１の表示色の変更、上記液晶モニタ２２２の表示色の変更、及び拡大率Ｋを最大値に固定する動作を行う。
【０１８１】
そして、上記ステップＳ５８において表示形態の切り替えを行った後、上記（９）式に従って、上記表示バー２４１として表示するＡＦｌｅｖｅｌの値を算出する（ステップＳ５９）。なお、このステップＳ５９での演算は、上述したようにＡＦｎｏｗ／ＡＦｐｅａｋを非圧縮演算を行う。
【０１８２】
その後、上記ステップＳ３３と同様の処理を行うステップＳ３３Ｂにおいて上記同期信号の入力があったと判断した場合には、上記ステップＳ４８の処理と同様の処理を行うステップＳ４８Ａの処理を行い、更に上記ステップＳ３４乃至上記ステップＳ３７と同様の処理を行うステップＳ３４Ｂ乃至ステップＳ３７Ｂの処理を行う。
【０１８３】
なお、このステップＳ５９乃至ステップＳ３７Ｂの一連の処理過程において、ユーザーにより不図示の表示スタートスイッチが押されると、Ｂｕｃｏｍ２０１の割り込み処理でステップＳ６０に処理を移行する。このステップＳ６０は、再度最初からライブビュー表示を行う為に上記ステップＳ３３へ移行する為のステップである（ステップＳ６０）。言い換えれば、ステップＳ６０は、ピーク越え判断後にライブビュー表示を改めて最初からやり直す場合の処理である。また、上記ステップＳ５９乃至ステップＳ３７Ｂの一連の処理過程における割り込み処理としては、上記ステップＳ４２、上記ステップＳ４３、及び上記ステップＳ４４の割り込み処理に関しても勿論実行され得る。
【０１８４】
ところで、上記ステップＳ５２をＹＥＳに分岐する場合は、合焦評価値がピーク値となる前にユーザーによりピントリング１０６が逆回転操作された場合である。この場合には、ピントリング１０６の回転方向が再度反転されたか（すなわち、再び合焦評価値がピーク値に向かう方向へ撮影光学系１０２が移動されているか）否かを判断する（ステップＳ５５）。ここで、ピントリング１０６の回転方向が再度反転されるまでは、上記ステップＳ５５をＮＯに分岐する。すなわち、このような場合常に上記ステップＳ３９に移行することになる。
【０１８５】
一方、上記ステップＳ５５をＹＥＳに分岐する場合は、合焦評価値がピーク値となる前にピントリング１０６が逆回転操作されたが、その後再度逆回転操作された場合である。この場合、上記ステップＳ５４で０に設定された上記ピーク越えフラグｆｌａｇ＿ｐｅａｋを再び１に設定する（ステップＳ５６）。そして、このステップＳ５６を経た後、ＡＦｎｏｗの値をＡＦｐｅａｋの値としてＡＦｐｅａｋの更新設定を行う。（ステップＳ５７）。
【０１８６】
以上説明したように、本第２実施形態によれば、上記第１実施形態に係る撮像装置の奏する効果に加えて、以下のような効果を奏する撮像装置を提供することが出来る。
【０１８７】
まず、本第２実施形態に係る撮像装置によれば、ユーザーによる上記ピントリング１０６の操作により合焦評価値がピーク値を通過した場合には、上記表示バー２４１及び上記液晶モニタ２２２の表示形態を切り替えるので、ユーザーは、合焦評価値がピーク値を通過したことを即座に認識できる。さらに、切り替えの後の表示形態においては、上記表示バー２４１の表示を、それまでの圧縮表示から非圧縮表示に切り替えるので、合焦評価値の変化に対する上記表示バー２４１の伸縮幅が増大し、ユーザーによる上記表示バー２４１を見ながらのＭＦでの合焦が非常に容易になる。そして、合焦評価値がピーク値を通過した場合には、上記液晶モニタ２２２における拡大表示の拡大率Ｋを最大値に固定するので、上記液晶モニタ２２２を観察しながらの微調節が容易となり、ＭＦにおける操作性が向上する。
【０１８８】
以上、第１実施形態及び第２実施形態に基づいて本発明を説明したが、本発明は上述した実施形態に限定されるものではなく、本発明の要旨の範囲内で種々の変形及び応用が可能なことは勿論である。
【０１８９】
例えば、上記第１実施形態及び上記第２実施形態においては、それぞれの実施形態における撮像装置をレンズ交換可能な一眼レフレックスカメラに搭載した場合を例にして説明したが、他にも山登りＡＦ機能とＭＦ機能とを併せ持つ他種のカメラすなわちスチルカメラやビデオカメラ等にも上記の各実施形態を適用することができることは勿論である。
【０１９０】
さらに、上述した実施形態には種々の段階の発明が含まれており、開示される複数の構成要件の適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成も発明として抽出され得る。
【図面の簡単な説明】
【０１９１】
【図１】本発明の第１実施形態に係る撮像装置を搭載されたカメラの構成を詳細に示したブロック図。
【図２】本発明の第１実施形態に係る撮像装置を搭載したカメラの背面図を示す図。
【図３】（ａ）乃至（ｃ）は、ライブビューモード時の液晶モニタにおける表示画面を示す図。
【図４】（ａ）は、本発明の第１実施形態に係る撮像装置を搭載したカメラにおけるライブビューモードによる撮影動作のＢｕｃｏｍでの動作制御の処理の流れ示すフローチャート。（ｂ）は、ライブビューモードの動作を終了する場合のＢｕｃｏｍでの処理の流れを示すフローチャート。
【図５Ａ】本発明の第１実施形態における合焦評価値と撮影光学系のレンズ位置との関係を示す図。
【図５Ｂ】図５Ａに示す各レンズ位置における合焦評価値の表示の一例を示す図。
【図５Ｃ】図５Ａに示す移動（３）の過程における合焦評価値の表示の一例を示す図。
【図５Ｄ】図５Ａに示す各レンズ位置における液晶モニタの表示の一例を示す図。
【図６】ライブビューモードにおいて合焦評価値を表示する為のＢｕｃｏｍでの動作制御を示すフローチャート。
【図７】図６に示すフローチャートの一変形例を示すフローチャート。
【図８Ａ】本発明の第２実施形態における合焦評価値と撮影光学系のレンズ位置との関係を示す図。
【図８Ｂ】図８Ａに示す各レンズ位置における合焦評価値の表示の一例を示す図。
【図８Ｃ】図８Ａに示す移動（３）の過程における合焦評価値の表示の一例を示す図。
【図８Ｄ】図８Ａに示す各レンズ位置における液晶モニタの表示の一例を示す図。
【図９】ピーク越え判断のアルゴリズムを示す図。
【図１０Ａ】本発明の第２実施形態のライブビューモードにおける動作制御を示すフローチャートの第１部分。
【図１０Ｂ】本発明の第２実施形態のライブビューモードにおける動作制御を示すフローチャートの第２部分。
【符号の説明】
【０１９２】
１０１…レンズ制御用マイクロコンピュータ、  １０２…撮影光学系、  １０３…レンズ駆動機構、  １０５…絞り駆動機構、  １０６…ピントリング、  ２０１…ボディ制御用マイクロコンピュータ、  ２０２ａ…メインミラー、  ２０４…測光回路、  ２０５…ＡＦセンサユニット、  ２０８…シャッター部、  ２１２…撮像素子、  ２１７…撮像インターフェイス回路、  ２１８…画像処理コントローラ、  ２１９…バッファメモリ、  ２２１…記録メディア、  ２２２…液晶モニタ、  ２３０…拡大ボックス、  ２３２…合焦評価値演算領域、  ２４０…合焦メーター、  ２４１…表示バー、  ２４２…ピークホールド表示、  ３０３…モードダイヤル、  ３１６…メインダイヤル、  ３１７…ＡＦフレームボタン、  ３２６…ライブボタン。
【図１】
2008079124.tif 000003
【図２】
2008079124.tif 000004
【図３】
2008079124.tif 000005
【図４】
2008079124.tif 000006
【図５Ａ】
2008079124.tif 000007
【図５Ｂ】
2008079124.tif 000008
【図５Ｃ】
2008079124.tif 000009
【図５Ｄ】
2008079124.tif 000010
【図６】
2008079124.tif 000011
【図７】
2008079124.tif 000012
【図８Ａ】
2008079124.tif 000013
【図８Ｂ】
2008079124.tif 000014
【図８Ｃ】
2008079124.tif 000015
【図８Ｄ】
2008079124.tif 000016
【図９】
2008079124.tif 000017
【図１０Ａ】
2008079124.tif 000018
【図１０Ｂ】
2008079124.tif 000019